(57)【要約】      （修正有）【課題】美麗、かつ、風格有る表札を提供する。【解決手段】市販の光沢紙等を材料とし天然素材等の彩色した模様を表札２の地板模様として、家紋像３及び苗字形象４を該表札２の上面に挿入・配置し美麗、かつ、風格有る表札とし、更に、日章旗及び祭礼提灯等の掲揚物・標示物のイラスト等を画像としてオプション化して、該表札の端部等に挿入することによって標示し、地域の祭事に参加可能としたものである。【選択図】図１
0003115923.tif 000002
【実用新案登録請求の範囲】
【請求項１】
表札の材料に市販の光沢紙・フォトプリント紙等を使用し、自然界に存在する石材・木材等の美麗な模様、又は、該模様をパソコンで加工し有色に発色させて超自然的に彩色した模様を表札の背景の地板模様とし、家紋像及び氏名・苗字形象も自由なフォント・色を採用して挿入・配置し、カラー印刷の後表札枠の形状に応じて裁断。美麗、かつ、風格有る表札とし、更に、日章旗・鯉幟等の掲揚物及び節分・戎・雛祭り・祭礼の提灯等の掲示・標示物のイラスト・写真等を画像としてオプションチップを作成して、該表札の左端上部等に挿入することによって、日章旗・鯉幟等の掲揚機能、又は、節分・戎・雛祭り・祭礼提灯等の掲示・標示機能を付加した集合住宅用表札。
【考案の詳細な説明】
【技術分野】
【０００１】  本考案は、建造物の内、一般に集合住宅と呼称する高層集合住宅に於いて、概ね各住居の玄関脇上に取付けられた表札枠に挿入し、苗字形象等を表示する表札の地板に従来の乳白色樹脂板とは異なり、大理石・御影石等の石材模様、桧等の柾目、いわゆる木目調、その他自然界に存在し目視可能な事物の天然色の模様、又は、パソコンで作成した超自然的な色合いを持った模様を表札の地板にし、該地板上に家紋像・及び苗字形象等の字体を自由な彩色・フォントを選択可能にして印刷し、更に、オプションとして日章旗の掲揚・季節折々の標示、例えば戎・節分・雛祭り・鯉幟・祭礼の提灯等々の標示をも簡単に装着可能にした表札に関するものである。
【背景技術】
【０００２】  該集合住宅に於ける表札枠の構造は、側部の一方にビス止めの蓋が設けられ、内部に苗字形象等を書き込む乳白色の樹脂板の地板と該地板を保護する為の透明の樹脂カバーが予め挿入されている。【０００３】  該乳白色地板に、伊藤和也・渡辺・鈴木のように、氏名・苗字形象等を記入する場合は字体を選び、一般には黒色のペイント等を用い業者に依頼して手書きするか、ワープロソフトを使用して黒色の苗字形象等を印刷して切取り樹脂板に貼付して表示し、同じく付属の透明樹脂カバーで覆い装着する仕様のものである。【０００４】  また、マジックインクで苗字形象を各自で手書きしたものも散見する。【０００５】  乳白色の樹脂板は、はつ水性を有するため水性の毛筆では書き込みが不可能である。【０００６】  該表札は、ホームセンターや住宅リフォーム会社で特注品として販売しているが、表札枠の側部の挿入部巾が６ｍｍ前後と狭い為、一般の一戸建て住宅で門柱に嵌合している御影石・大理石等の石材、桧等の木材は該表札地板として強度上不可能である。従って、ステンレス・真鍮板等の金属材料を加工して用いるほか手段が無い為、材料選択の巾が限定されていること、今一つは一品毎の特注製作の為もあり高価である。
【考案の開示】
【考案が解決しようとする課題】
【０００７】  該表札は、前述の如く表札枠の側部の挿入部巾が狭い為、予め挿入されている付帯の乳白色樹脂板を用いた場合では、はつ水性を有するため標示の方法に、油性マジックインクで手書きするか、ＰＰＣ用紙やネームランドの白色テープに苗字形象等を印刷した部分を切取り貼付するかの方法しかなく、標示の方法に著しい制限がある上に、表札地板の乳白色や白色テープの色が前面に出て、病院や公共施設の室名板の如く冷たい感じがし、人が居住する住居の看板である該表札としては、周囲の玄関ドアーの木目調又は塗装色、メーターボックスの塗装色等の中に位置し著しく外装カラーバランスの調和を欠くものである。【０００８】  該表札に、ホームセンターや住宅リフォーム会社で特注品として販売している表札を購入・装着した場合、数種のカラーデザインが用意されている為、外装カラーバランスの調和の問題は解決されるが、高価であり経済的負担も大きい。又、高価な故に人事異動他の理由により転宅した場合、同サイズの表札枠が設置されているケースは少なく、再利用が出来ない為、投資効率が著しく低くなる。【０００９】  ここで、一般の門柱を有する一戸建て住宅と集合住宅の種々の標示機能を比較すると、一戸建て住宅では旗指し金物が設置されて日章旗の掲揚が可能であるが、集合住宅では構造上日章旗の掲揚が不可能である。【００１０】  同じく、集合住宅では構造上平面的スペースが無い、又は、コンクリート構造の為、門松の設置・注連縄の掲示が不可能である。【００１１】  同じく、集合住宅では構造上鯉幟の掲揚が不可能である。【００１２】  同じく、集合住宅では平面的スペースが無い為、地域の祭礼の際、祭礼を祝う提灯の掲示が不可能である。【００１３】  以上のように集合住宅は、地域の行事に参加する為に要する種々の掲示物の設置及び掲示機能を持たず、集合住宅ぐるみで地域の行事に掲示行為として参加出来ない欠点がある。【００１４】  本考案は、該表札地板の模様に御影石・大理石等の石材、桧等の木材等素材固有の模様・有色の色調をスキャナー又はデジタルカメラでパソコンに取り込み・加工して、印刷用の光沢紙・フォトプリント紙に印刷して該地板を好みに応じて美麗なものにした表札地板台紙を作成する。【００１５】  更に家紋像をスキャナーで取り込み該表札地板の向かって左に位置させ、苗字形象を家紋像の右に位置するスペースに古印体・太楷書体・明朝等の好みのフォントを選択しフォントの色も黒を始め該表札地板の模様に合わせて自由に選択して前記表札地板台紙に再印刷し、予め挿入されている乳白色の樹脂板と同寸法に裁断し、該樹脂板と付属の透明樹脂カバーの中間に挿入するのみで、前述の欠点を解決しょうとするものである。
【課題を解決するための手段】
【００１６】  本考案は、御影石・大理石等の石材模様、桧等の木材の柾目、いわゆる木目調、その他自然界に存在する目視可能な事物の美麗な模様をスキャナー又はデジタルカメラでパソコンに取り込み、Ａ４版の印刷用の光沢紙・フォトプリント紙等を用い印刷の向きを横にして全面を縦に３分活して各々のスペースに印刷して表札地板台紙を作成する。【００１７】  更に各家庭で紋付や袱紗に染出しされている家紋像をスキャナーで取り込み該表札地板台紙の３分轄されたスペースの各々の向かって左に位置させ、苗字形象を家紋像の右に位置するスペースに古印体・太楷書体・明朝等の好みのフォントを選択しフォントの色も黒を始め該表札地板の模様に合わせて自由に選択して該表札地板を台紙として再印刷して表札台紙とし、予め挿入されている乳白色の樹脂板と同寸法に裁断し、該樹脂板と透明樹脂カバーの中間に挿入するのみで、美麗で格式の有る表札を得ることで、従来の乳白色の該表札地板の持つ病院や公共施設の室名板の如く冷たい感じ・外装カラーバランスとの不調和、苗字形象等標示方法の選択巾の狭さ、業者に特注した場合に於ける経済的負担の大きさの問題点も解決している。【００１８】  オプションとして、日章旗・門松・注連縄・夫婦雛・鯉幟・祭礼の提灯等のイラスト及び写真をスキャナー又はデジタルカメラでパソコンに取り込み、前記該表札台紙の３分轄されたスペースの各々の向かって左に位置させた家紋像を覆うサイズに位置させて印刷し、高さは該表札と同じにし、巾は家紋像を覆うサイズに合わせて裁断した物をオプションチップとして、各々標示時期に付属の透明樹脂カバーの前面に、光沢紙・フォトプリント紙等の弾性を利用して外部から家紋像を覆う位置に上下末端部を挿入・覆装することにより、日章旗の掲揚・門松・注連縄・夫婦雛・鯉幟・祭礼の提灯等の掲示・標示と同等の標示が可能となり、季節・時期により標示すべきものの標示及び地域の行事に参加出来ない問題点をも解決している。【００１９】  又、門松・祭礼の提灯等一対で標示すべきものは、該オプションチップを表札台紙各々の模様の両端に配置し、苗字形象をやや中央寄りに字体の間隔を狭めて印刷すれば、苗字形象を覆うことなく一対での該オプションチップ標示が可能である。
【考案の効果】
【００２０】  上述のように、本考案の集合住宅用表札は家紋像及び苗字形象の字体の背景に御影石・大理石等の石材模様、桧等の木材の柾目、いわゆる木目調、その他自然界に存在する目視可能な事物の美麗な模様を有する事で、従来の表札地板の乳白色や白色テープの色が前面に出て、病院や公共施設の室名板の如く冷たい感じになることを解消し、更に、住居の玄関付近の外装カラーバランスを調和させている。【００２１】  同じく上述のように、本考案の集合住宅用表札は自由に苗字形象の字体の選択が可能であり、加えて、家紋像を挿入する事により、風格のある表札の標示を可能としている。【００２２】  同じく上述のように、本考案の集合住宅用表札は、オプションチップを使用することにより、季節・時期により適正な事物の標示機能を有する事により一戸建て住宅でのみ可能であった掲示・標示すべき事物の標示機能を付加し、並びに祭礼等の地域の行事に標示行為として参加出来る標示機能をも有している。【００２３】  同じく上述のように、本考案の集合住宅用表札は、該表札台紙の材料に従来の石材・合金鋼・木材等とは異なり、安価なＡ４版の印刷用の光沢紙・フォトプリント紙等を用い、汎用のパソコン、スキャナー、デジタルカメラ、カラープリンターを使用し、マスターし易い操作技術で作成が可能であり、従来の石材に於ける彫刻、合金鋼等の薬剤処理他の専門的技術を必要とせず、一品毎に仕様が異なっても大量生産が可能となる為に安価に供給できる特徴を有している。
【考案を実施するための最良の形態】
【００２４】  該集合住宅用表札は、御影石・大理石等の石材模様、桧等の木材の柾目、いわゆる木目調、その他自然界に存在する目視可能な事物の美麗な模様を有するインテリアシートや映像をスキャナー又はデジタルカメラでパソコンのアプリケーションソフト、マイクロソフトワードの文書ウインドウに取り込み、ページ設定を用紙はＡ４版とし印刷の向きを横に設定する。【００２５】  次に、取り込んだ画像をＡ４版の上部３分の１程度の位置にドラッグして縮小・拡大もしくはトリミングし、横方向には文字列の巾一杯にして確定する。【００２６】  確定した後、エンターキーを押して空行を設けカーソルを次行の行頭に移動する。【００２７】  次に、最初に取り込んだ画像を選択し、ツールバーのコピーボタンをクリックし、カーソルの位置を確認しツールバーの貼り付けボタンをクリックし、Ａ４版の中央部３分の１程度の位置に画像が貼り付けられた後、画像の外部の何れかの場所をクリックして画像を確定する。【００２８】  再度、エンターキーを押して空行を設けカーソルを次行の行頭に移動する。【００２９】  前々項と同様にカーソルの位置を確認して、ファンクションキーＦ４を押し下部Ａ４版の中央部３分の１程度の位置に画像が貼り付けられた後、画像の外部の何れかの場所をクリックして画像を確定する。【００３０】  以上で該表札台紙のパソコン画面上の構成が完了したので、カラープリンターで印刷し、画面上の画像色彩イメージとプリントアウトした色彩イメージを比較確認する。【００３１】  印刷の手順を機種ＥＰＳＯＮ、ＰＭ−２０００Ｃの場合で説明する。まずカラープリンターのオートシートフィーダーに市販のＡ４版の印刷用光沢紙・フォトプリント紙のいずれかを選択して所要枚数をセットし、メニューバーのファイルから印刷をクリックしてカラープリンターの印刷のダイアログボックスを開き、プロパティをクリックしてプリンターのプロパティのダイアログボックスを開き基本設定のタブを選択、用紙の種類のドロップダウンリストからフォトプリント紙を選択、モード設定は推奨設定から詳細設定に切り替、現在の設定のドロップダウンリストから高精密を選択した後、用紙設定のタブを選択しダイアログボックスから用紙がＡ４版で印刷方向が縦になっている事を確認する。【００３２】  次に、印刷のダイアログボックスで印刷部数が１になっていることを確認しＯＫボタンをクリックしてプリントアウトして表札台紙を作成する。【００３３】  パソコンの画面とプリントアウトした表札台紙のイメージが異なる場合は、カラープリンターの印刷のダイアログボックスを開き、プロパティから詳細設定を選択、設定変更から手動設定のダイアログボックスを開き、明度・コントラスト・彩度・シアン・マゼンダ・イエローの調整を行い、双方のイメージが一致した時点で表札台紙の作成を終了する。【００３４】  パソコンの画面上のデーターは、任意のファイルに表札台紙等、適当な名称をつけて保存する。【００３５】  家紋像を表札台紙の上に挿入する場合は、該ワードの新規作成からページ設定をＡ４版・印刷の向きを横とし、スキャナー等で取り込んだ家紋像の画像を、該表札台紙の上部・中央部・下部の各々左側中央部の適当な位置へ配置・確定する。【００３６】  家紋像の右側、該表札台紙の各々の中央部に好みのフォントで高さはほぼ家紋像の高さと同一にして苗字形象を配置・確定する。【００３７】  カラープリンターのオートシートフィーダーに先に製作した画像の印刷された該表札台紙をセットして、重ね印刷をする。【００３８】  家紋像・苗字形象のいずれもが重ね印刷された該表札台紙を表札枠に付属の透明樹脂カバーで覆い、切取り部分のバランスを取りながら、該透明樹脂カバーと同寸法に裁断して各々の表札が完成する。【００３９】  パソコンの画面とプリントアウトした表札台紙のイメージが同一の場合は、画面上該表札台紙の上部・中央部・下部の配置・確定が終了した時点より、直接家紋像、苗字形象の挿入が可能なので、その手法を説明する。画面上に表札台紙が表示されている状態で、メニュウバーの挿入ボタンを押し、取り込んだ画像を選択し図形描画のツールバーを表示し、図形の調整をクリックし、ドロップダウンメニューのテキストの折り返しをクリック、同じくドロップダウンメニューから前面を選択・クリックし、該表札台紙の画像の上をドラッグさせて、前述の手法と同様に該表札台紙の上部・中央部・下部の各々左側中央部の適当な位置へ配置・確定が出来る。【００４０】  苗字形象の文字は、同じく図形描画のツールバーからワードアートの挿入をクリック、水平型のパターンを選択、文字を入力しフォントを選択・確定した後、ワードアートが選択された状態から以降は、前述の家紋像の手法と同様に該表札台紙の上部・中央部・下部それぞれ家紋像の右側中央部の適当な位置へ配置・確定が出来る。以上の方法では再印刷の手段が省略可能である。【００４１】  日章旗・鯉幟、門松・注連縄・夫婦雛・祭礼の提灯等のオプションチップは、表札台紙と同じくページ設定を用紙はＡ４版とし印刷の向きを横に設定する。設定した文書ウインドウ上に、まず、フォント１２のカーソルをエンターキーで３行目の左端に位置させ、該位置から始めて、該表札台紙の上・中・下各段と等しい高さに各々のイラストをスキャナー等で取り込み、巾はほぼ横型長方形になるようまず左端を水平ルーラーの数字２から１４の巾にドラッグし取り込んだ画像を確定する。【００４２】  確定した画像を再度選択しツールバーのコピーボタンをクリックし、カーソルの位置を該確定画像の右端に移動しツールバーの貼付けボタンをクリックして当初の画像の右に同様の画像を配置する。【００４３】  同様に、配置された画像の右端にカーソルを移動しファンクションキーＦ４を押すと同様に画像が貼り付き３個の画像が出来る。【００４４】  前述の操作を繰り返し５個並列した時点で上段のスペースが全て画像で埋まる。【００４５】  エンターキーで２行の空行を上段の下に設定し、３行目の左端にカーソルを位置させ、ツールバーの貼付けボタンをクリックし上段と等しい画像を配置する。【００４６】  以下、上段と同様の手法で中段のスペースに画像を５個配置・確定して中段のスペースを埋める。【００４７】  同様の手法で下段のスペースに画像を５個水平に配置・確定してＡ４版１ページの各段オプションチップ列の作成が終了し、オプションチップ台紙の画像配置が完了する。完了した時点で任意のファイルに名前を付けて保存する。【００４８】  該表札台紙と同様、カラープリンターに市販のＡ４版の印刷用光沢紙・フォトプリント紙のいずれかの所要枚数をセットし、印刷ボタンをクリックして以降、各設定をダイアログボックスで該表札台紙の印刷時と同様になっている事を確認、最終的に用紙がＡ４版、印刷方向が縦になっている事を確認する。【００４９】    次に、印刷のダイアログボックスで印刷部数が１になっていることを確認しＯＫボタンをクリックしてプリントアウトしてオプションチップ台紙を作成する。【００５０】  プリントアウトしたオプションチップ台紙は、各段とも巾は画像の巾、高さは該表札台紙と同様、表札枠に付属の透明樹脂カバーで覆い、切取り部分のバランスを取りながら、該透明樹脂カバーと同寸法に裁断して、余白部分と切り離し各々のオプションチップが完成する。【００５１】  または日章旗等の簡単な図柄の場合は、アプリケーションソフトのペイントを用いて作成した画像を取り込み、オプションチップ台紙を作成することも可能である。
【実施例１】
【００５２】  以下、添付図に従って実施例を説明する。１は市販のＡ４版の光沢紙を台紙に用いた表札台紙である。最初にワープロソフト、マイクロソフトワードを起動して文書ウインドウを表示し、ページ設定をＡ４版及び印刷の向きを横に設定する。【００５３】  有色の大理石が用いられた石碑・記念碑等の端部をデジタルカメラで撮影して、画像として文書ウインドウに取り込み、該画像をクリックして選択し、図のツールバーのトリミングボタンをクリックして、好みの模様の部分をトリミング・拡大して画面の上段に位置させ確定して表札台紙上段２ａとする。【００５４】  ツールバーのフォントが１２である事を確認しエンターキーを押し、２行の空行を設ける。更に、カーソルが左端に有ることを確認して、表札台紙上段２ａの画像を選択し、ツールバーのコピーボタンをクリック、次に貼り付けボタンをクリックして表札台紙中段２ｂの画像を作成する。【００５５】  表札台紙中段２ｂの画像の作成手順と同様の操作で、表札台紙下段２ｃの画像を作成、余白をクリックして画像の選択を解除する。【００５６】  袱紗に染め込まれた家紋像の部分をスキャナーの原稿台にセットしプレビューした画像から家紋像の部分を取り込み範囲として設定し、該設定部分を任意の位置にスキャンする。【００５７】  スキャンした画像をクリックして選択し図形描画ツールバーの図形の調整ボタンをクリックしてテキストの折り返しを選択、前面をクッリクした後カーソルを該図形にポイントし、ドラッグして表札台紙上段２ａの画像の左端に位置させ、上下の位置は該表札台紙２ａの高さの中央、かつ、可視範囲５より内側に位置させ確定して、表札台紙上段２ａ用家紋像３ａとする。【００５８】  同様の手法で、それぞれの家紋像を挿入、配置・確定して、表札台紙中段２ｂ用家紋像３ｂ及び表札台紙下段２ｃ用家紋像３ｃを設定する。【００５９】  苗字形象の挿入は、ワードアートのツールバーからワードアートの挿入をクリックワードアートギャラリーから文字の配列が水平になっているものの中から、２段目・左から２列目の影付きのパターンをクリックして選択し、ＯＫボタンをクリックする。ワードアートテキスト編集の画面に苗字形象の文字を入力しフォントは古印体、サイズは９６、太字ボタンをクッリクして画面に苗字形象の文字を出す、次に、ワードアートのツールバーからワードアートの書式設定ボタンをクッリク、該書式設定のダイアログボックスから、塗りつぶしの色は黒を選択・線は線なしを選択してＯＫボタンをクッリクする。【００６０】  画面上のワードアートの文字をドラッグして表札台紙上段２ａの画像のほぼ中央部に位置させ、全体及び家紋像３ａとのバランスを確認して位置を決定し、余白をクッリクして確定し、表札台紙上段２ａ用苗字形象４ａとする。以上で表札台紙上段２ａの画像の挿入が終了する。【００６１】  同様の手法で、それぞれに好みのフォントを選択し、苗字形象４ｂ及び４ｃを挿入、配置・確定し、表札台紙中段２ｂ用苗字形象４ｂ及び表札台紙下段２ｃ用苗字形象４ｃを挿入・確定して、Ａ４版の表札用台紙１に表札２の画像が全て挿入され操作が終了する。【００６２】  印刷の手順を機種ＥＰＳＯＮ、ＰＭ−２０００Ｃの場合で説明する。��ずカラープリンターのオートシートフィーダーに市販のＡ４版の印刷用光沢紙を所要枚数セットし、メニューバーのファイルを選択、ドロップダウンリストから印刷をクリックしてカラープリンターの印刷のダイアログボックスを開き、プロパティをクリックしてプリンターのプロパティのダイアログボックスを開き基本設定のタブを選択、用紙の種類のドロップダウンリストからフォトプリント紙を選択、モード設定は推奨設定から詳細設定に切り替、現在の設定のドロップダウンリストから高精密を選択、用紙設定のタブを選択しダイアログボックスから用紙がＡ４版、印刷方向が縦になっている事を確認する。【００６３】  次に、印刷のダイアログボックスで印刷部数が１枚になっていることを確認しＯＫボタンをクリックしてプリントアウトして、表札用台紙１が完成する。【００６４】  家紋像・苗字形象が各々印刷された、該表札用台紙１を表札枠に付属の透明樹脂カバーで覆い、表札枠の可視範囲５に留意して切取り部分のバランスを取りながら、該表札用台紙１の各段を該透明樹脂カバーと同寸法に裁断し、余白７を残して各々の表札２ａ・２ｂ・２ｃを取り出して３枚の表札２が完成する。【００６５】各々の表札２ａ・２ｂ・２ｃは、同じく各々の住居に設置されている表札枠の側部の挿入部より、同じく予め挿入されている付属の乳白色樹脂板の地板と該地板を保護する為の透明樹脂カバーの間に装着して、表札２の標示が終了する。【００６６】  オプションチップの製作手順を同じく添付図に従って日章旗を例にとり実施例を説明する。６は市販のＡ４版の光沢紙を台紙に用いたオプションチップ台紙である。最初にワープロソフト、マイクロソフトワードを起動し、ページ設定をＡ４版及び印刷の向きを横に設定する。設定した文書ウインドウ上に、まず、フォント１２のカーソルをエンターキーで３行目の行頭に位置させ、該位置から始めて、該表札台紙１の上・中・下各段と等しい高さになるようにし、まず、上段の左端に予めアプリケーションソフト、ペイントを使用した日章旗の画像を取り込み、巾はほぼ横型長方形になるようまず画像の左端を水平ルーラーの数字２から１４の巾にドラッグし取り込んだ画像を配置・確定する。【００６７】  該画像をカーソルでポイントしコントロールキーを押しながら並列して右へコピーし、順次５個並列した時点でオプションチップ８が全て配置されたオプションチップ列８ａを作成する。【００６８】  同様に、フォントが１２であることを確認し、カーソルをエンターキーで移動し３行目行頭に位置させ、以下はオプションチップ列８ａの作成手順と同様の操作でオプションチップ列８ｂを作成し、同様にオプションチップ列８ｃを作成する。以上でオプションチップ台紙６が完成する。【００６９】  該オプションチップ台紙６を表札枠に付属の透明樹脂カバーで覆い、表札枠の可視範囲５に留意して切取り部分のバランスを取りながら、縦方向に該オプションチップ台紙６の各段を該透明樹脂カバーと同寸法に裁断し、余白７を残して各々のオプションチップ列８ａ・８ｂ・８ｃを取り出す。【００７０】  取り出した各々のオプションチップ列を画像の境界である縦切取り線９に当たる部分を縦方向に切り取るとオプションチップ８が完成する。【００７１】  オプションチップ８は、光沢紙の紙自体の弾性を利用し、適時そのまま表札枠の透明樹脂カバーの上からくの字型に屈曲させて、表札の家紋像の位置に家紋像を覆うようにして上下末端部を挿入し、終了した時点でオプションチップ８の標示が終了する。
【実施例２】
【００７２】  オプションチップ表札１０は、慣例として１対にして標示する標示物の場合、表札２に２個のオプション画像を、祭礼時に標示する祭礼の提灯を例として両端に配置した実施例である。手法は表札２及びオプションチップ８の作成手順とほぼ同様で、苗字形象４ａを表札２の場合よりやや中央に移動・配置し、両端に祭礼提灯の画像をオプションとして配置したものである。
【産業上の利用可能性】
【００７３】  以上の実施例で明らかなように、本考案は安価な印刷用光沢紙を使用し、かつ、美麗な模様を地模様とし家紋像を配置し、更に、苗字形象も好みの字体で配置した結果、格式・風格有る表札を、汎用性を有するパソコン・スキャナー・デジタルカメラ・カラープリンターを用いてそれぞれ異なるデザインの単品でありながら、大量生産を可能にしたものであり経済的問題を解決すると同時に環境の美化にも貢献するものである。
【図面の簡単な説明】
【００７４】
【図１】本考案の集合住宅用表札用台紙の実施例１を示す平面図である。
【図２】本集合住宅用表札のオプションチップを複数印刷したオプションチップ台紙の平面図である。
【図３】本集合住宅用表札の家紋の部分に日章旗のオプションチップを装着した状態の表札単体の拡大平面図である。
【図４】本集合住宅用表札とオプションチップを２個配置したオプション表札実施例２の表札単体の拡大平面図である。
【符号の説明】
【００７５】  １  表札台紙
２  表札
３  家紋像
４  苗字形象
５  可視範囲
６  オプションチップ台紙
７  余白
８  オプションチップ
９  縦切取り線
１０  オプションチップ表札
【図１】
0003115923.tif 000003
【図２】
0003115923.tif 000004
【図３】
0003115923.tif 000005
【図４】
0003115923.tif 000006
【手続補正書】
【提出日】平成17年7月14日(2005.7.14)
【手続補正１】
【補正対象書類名】実用新案登録請求の範囲
【補正対象項目名】全文
【補正方法】変更
【補正の内容】
【実用新案登録請求の範囲】
【請求項１】
一枚の台紙と、この台紙を複数に区分して、石材・木材等の模様を下地印刷して複数段で構成した個別の表札部分と、さらに、個別の表札部分に所望の家紋像及び氏名・苗字形象等も自由なフォント・色を採用して挿入・配置し、それぞれ重ね印刷したことを特徴とした集合住宅用表札。
【請求項２】
台紙を個別の表札部分ごとに、表札枠の挿入部分に合わせて、切り離すようにしたことを特徴とした請求項１記載の集合住宅用表札。
【請求項３】
更に、別の台紙と、この台紙を同じく複数段に区分して、日章旗、鯉幟等の掲揚物及び祭礼提灯等の掲示物のイラスト又は写真を、それぞれの区分に複数列印刷して、オプションチップ台紙としたことを特徴とした請求項１記載の集合住宅用表札。
【請求項４】
オプションチップ台紙を個別のオプションチップ毎に、表札枠の挿入部分に合わせて、切り離すようにしたことを特徴とした請求項３記載の集合住宅用表札。
【手続補正２】
【補正対象書類名】明細書
【補正対象項目名】０００１
【補正方法】変更
【補正の内容】
【０００１】  本考案は、建造物の内、一般に集合住宅と呼称する高層集合住宅に於いて、概ね各住居の玄関脇上の表札枠に挿入されている、乳白色樹脂板に氏名・苗字形象等を表示するすなわち表札地板とは異なり、大理石・御影石等の石材模様、桧等の柾目、いわゆる木目調、その他自然界に存在し目視可能な事物の天然色の模様、又は、パソコンで作成した超自然的な色合いを持った模様を表札台紙の下地模様にし、該下地模様上に所望の家紋像・及び氏名・苗字形象等の字体を自由な彩色・フォントを選択して挿入・配置し、双方の画像を重ね印刷し、更に、オプションチップとして日章旗の掲揚・季節折々の標示、例えば戎・節分・雛祭り・鯉幟・祭礼の提灯等々の標示をも簡単に装着可能にした表札に関するものである。
【手続補正３】
【補正対象書類名】明細書
【補正対象項目名】０００５
【補正方法】変更
【補正の内容】
【０００５】乳白色樹脂板すなわち表札地板は、はつ水性を有するため水性の毛筆では書き込みが不可能である。
【手続補正４】
【補正対象書類名】明細書
【補正対象項目名】００１４
【補正方法】変更
【補正の内容】
【００１４】  本考案は、表札台紙の下地模様に御影石・大理石等の石材、桧等の木材等素材固有の模様・有色の色調をスキャナー又はデジタルカメラで画像として、パソコンに取り込み・加工して、印刷用の光沢紙・フォトプリント紙の複数段に区分したそれぞれの表札部分に印刷して該表札台紙を好みに応じて美麗なものにした下地模様を有する表札台紙を作成する。
【手続補正５】
【補正対象書類名】明細書
【補正対象項目名】００１５
【補正方法】変更
【補正の内容】
【００１５】  更に所望の家紋像をスキャナーで画像として、取り込み、それぞれの表札部分の向かって左端に位置させ、氏名・苗字形象を家紋像の右に位置するスペースに古印体・太楷書体・明朝等の好みのフォントを選択しフォントの色も黒を始め該表札部分の模様に合わせて自由に選択して表札台紙のそれぞれの表札部分に、所望の家紋像及び氏名・苗字形象を双方同時にパソコンの画面上で挿入・配置して、画像を重ね印刷して、予め挿入されている表札地板と同寸法に切り離し、該表札地板と付属の透明樹脂カバーの中間に挿入するのみで、前述の欠点を解決しょうとするものである。
【手続補正６】
【補正対象書類名】明細書
【補正対象項目名】００１６
【補正方法】変更
【補正の内容】
【００１６】  本考案は、御影石・大理石等の石材模様、桧等の木材の柾目、いわゆる木目調、その他自然界に存在する目視可能な事物の美麗な模様をスキャナー又はデジタルカメラでパソコンに画像として、取り込み、Ａ４版の印刷用の光沢紙・フォトプリント紙等を用いページ設定で印刷の向きを横にし、全面を横に３分割に区分して表札部分とし、それぞれのスペースに配置して、表札台紙のそれぞれ表札部分の下地模様とする。
【手続補正７】
【補正対象書類名】明細書
【補正対象項目名】００１７
【補正方法】変更
【補正の内容】
【００１７】  更に各家庭の所望の家紋像をスキャナーで画像として取り込み、表札台紙それぞれの表札部分の向かって左端に位置させ、氏名・苗字形象を家紋像の右に位置するスペースに古印体・太楷書体・明朝等の好みのフォントを選択しフォントの色も黒を始め該表札部分の模様に合わせて自由に選択し、挿入・配置して画像を重ね印刷して表札台紙とし、予め挿入されている表札地板と同寸法に切り離して表札部分とし、該表札地板と透明樹脂カバーの中間に挿入するのみで、美麗で格式の有る表札を得ることで、従来の乳白色の表札地板の持つ病院や公共施設の室名板の如く冷たい感じ・外装カラーバランスとの不調和、氏名・苗字形象等標示方法の選択巾の狭さ、業者に特注した場合に於ける経済的負担の大きさの問題点も解決している。
【手続補正８】
【補正対象書類名】明細書
【補正対象項目名】００１８
【補正方法】変更
【補正の内容】
【００１８】  オプションチップ台紙として、日章旗・門松・注連縄・夫婦雛・鯉幟・祭礼の提灯等のイラスト及び写真をスキャナー又はデジタルカメラでパソコンに画像として取り込み、前記該表札台紙と同様の台紙を用い、更に同様に区分した複数段の台紙部分に、それぞれの向かって左に位置させた家紋像を覆うサイズに位置させて配置し、該画像をコピィして横に並べて複数列にして印刷し、高さは該表札部分と同じにし、巾は家紋像を覆うサイズに合わせて切り離した物をオプションチップとして、各々標示時期に付属の透明樹脂カバーの前面に、光沢紙・フォトプリント紙等の弾性を利用して外部から家紋像を覆う位置に上下末端部を挿入・覆装することにより、日章旗の掲揚・門松・注連縄・夫婦雛・鯉幟・祭礼の提灯等の掲示・標示と同等の標示が可能となり、季節・時期により標示すべきものの標示及び地域の行事に参加出来ない問題点をも解決している。
【手続補正９】
【補正対象書類名】明細書
【補正対象項目名】００１９
【補正方法】変更
【補正の内容】
【００１９】  又、門松・祭礼の提灯等一対で標示すべきものは、該オプションチップの画像を表札部分それぞれの両端に配置し、氏名・苗字形象をやや中央寄りに字体の間隔を狭めて配置し重ね印刷すれば、氏名・苗字形象を覆うことなく一対での該オプションチップを配置した表札の標示が可能である。
【手続補正１０】
【補正対象書類名】明細書
【補正対象項目名】００２９
【補正方法】変更
【補正の内容】
【００２９】  前々項と同様にカーソルの位置を確認して、ファンクションキーＦ４を押しＡ４版の下部３分の１程度の位置に画像が貼り付けられた後、画像の外部の何れかの場所をクリックして画像を確定する。
【手続補正１１】
【補正対象書類名】明細書
【補正対象項目名】００３０
【補正方法】変更
【補正の内容】
【００３０】  以上で該表札台紙のパソコン画面上での表札部分の画像の配置・構成が完了したので、カラープリンターで印刷し、画面上の画像色彩イメージと印刷した色彩イメージを比較確認する。
【手続補正１２】
【補正対象書類名】明細書
【補正対象項目名】００３２
【補正方法】変更
【補正の内容】
【００３２】    次に、印刷のダイアログボックスで印刷部数が１になっていることを確認しＯＫボタンをクリックして印刷して表札台紙を作成する。
【手続補正１３】
【補正対象書類名】明細書
【補正対象項目名】００３５
【補正方法】変更
【補正の内容】
【００３５】  家紋像を表札台紙の上に挿入する場合は、該ワードの新規作成からページ設定をＡ４版・印刷の向きを横とし、スキャナー等で取り込んだ家紋像の画像を、該表札部分のそれぞれの左端へ配置・確定する。
【手続補正１４】
【補正対象書類名】明細書
【補正対象項目名】００３６
【補正方法】変更
【補正の内容】
【００３６】  家紋像の右側、該表札部分のやや中央部に好みのフォントで高さはほぼ家紋像の高さと同一にして氏名・苗字形象を配置・確定する。
【手続補正１５】
【補正対象書類名】明細書
【補正対象項目名】００３７
【補正方法】変更
【補正の内容】
【００３７】  カラープリンターのオートシートフィーダーに用紙をセットし、印刷をする。
【手続補正１６】
【補正対象書類名】明細書
【補正対象項目名】００３８
【補正方法】変更
【補正の内容】
【００３８】下地模様及び家紋像・氏名・苗字形象のいずれもの画像が重ね印刷された該表札台紙を表札地板で覆い、表札部分の上下左右のバランスを取りながら、該表札地板と同寸法に切り離して各々の表札部分が完成する。
【手続補正１７】
【補正対象書類名】明細書
【補正対象項目名】００３９
【補正方法】変更
【補正の内容】
【００３９】  パソコンの画面と印刷した表札台紙のイメージが同一で確定の場合は、前述の如く、画面上該表札部分の下地模様の配置・確定が終了した時点より、直接所望の家紋像、氏名・苗字形象の画像を挿入する手法を、改めて詳細に説明する。画面上にそれぞれ表札部分に下地模様の画像が確定されて表示されている状態で、メニュウバーの挿入ボタンを押し、取り込んだそれぞれの家紋像、氏名・苗字形象の画像を順次選択し図形描画のツールバーを表示し、図形の調整をクリックし、ドロップダウンメニューのテキストの折り返しをクリック、同じくドロップダウンメニューから前面を選択・クリックし、該表札部分の画像の上をそれぞれドラッグさせて、前述の手法と同様にそれぞれの画像を、配置・確定が出来る。
【手続補正１８】
【補正対象書類名】明細書
【補正対象項目名】００４０
【補正方法】変更
【補正の内容】
【００４０】他の手法として、下地模様のみを印刷した表札台紙を、改めてプリンターのオートフィーダーにセットし、所望の家紋像、氏名・苗字形象の画像を、前項の記載と同位置に文書ウィンドーにそれぞれ配置・確定して、表札部分の模様の上に再印刷することも可能である。
【手続補正１９】
【補正対象書類名】明細書
【補正対象項目名】００４１
【補正方法】変更
【補正の内容】
【００４１】  日章旗・鯉幟、門松・注連縄・夫婦雛・祭礼の提灯等のオプションチップ台紙は、表札台紙と同じくページ設定を用紙はＡ４版とし印刷の向きを横に設定する。設定した文書ウインドウ上に、まず、フォント１２のカーソルをエンターキーで３行目の左端に位置させ、該位置から始めて、表札部分の各段と等しい高さにそれぞれのオプションチップとするイラストをスキャナー等で画像として取り込み、巾はほぼ横型長方形になるようまず左端を水平ルーラーの数字２から１４の巾にドラッグし取り込んだ画像を確定する。
【手続補正２０】
【補正対象書類名】明細書
【補正対象項目名】００４８
【補正方法】変更
【補正の内容】
【００４８】オプションチップ台紙は、該表札台紙と同様、カラープリンターに市販のＡ４版の印刷用光沢紙・フォトプリント紙のいずれかをセットし、印刷ボタンをクリックして以降、各設定をダイアログボックスで該表札台紙の印刷時と同様になっている事を確認、最終的に用紙がＡ４版、印刷方向が縦になっている事を確認する。
【手続補正２１】
【補正対象書類名】明細書
【補正対象項目名】００５０
【補正方法】変更
【補正の内容】
【００５０】印刷したオプションチップ台紙は、各段とも巾は画像の巾、高さは該表札部分と同様になるよう、表札地板で覆い、切取り部分のバランスを取りながら、表札地板と同寸法に切り離し、更に個々に切り離してそれぞれのオプションチップが完成する。
【手続補正２２】
【補正対象書類名】明細書
【補正対象項目名】００５３
【補正方法】変更
【補正の内容】
【００５３】  有色の大理石が用いられた石碑・記念碑等の端部をデジタルカメラで撮影して、画像としてパソコンに取り込み、該画像をクリックして選択し、図のツールバーのトリミングボタンをクリックして、好みの模様の部分をトリミング・拡大して画面の上段に位置させ余白をクリックして確定し、表札部分上段２ａとする。
【手続補正２３】
【補正対象書類名】明細書
【補正対象項目名】００５４
【補正方法】変更
【補正の内容】
【００５４】  ツールバーのフォントが１２である事を確認しエンターキーを押し、２行の空行を設ける。更に、カーソルが左端に有ることを確認して、表札部分上段２ａの画像を選択し、ツールバーのコピーボタンをクリック、次に貼り付けボタンをクリックして上段２ａと上下同位置に配置し、余白をクリックして確定し、表札部分中段２ｂの画像を作成する。
【手続補正２４】
【補正対象書類名】明細書
【補正対象項目名】００５５
【補正方法】変更
【補正の内容】
【００５５】  表札部分中段２ｂの画像作成手順と同様の操作で、表札部分下段２ｃの画像をコピィ・貼り付けで配置、余白をクリックして画像の位置確定及び画像の選択を解除する。以上で複数段に区分された表札部分の下地模様の設定が終了する。
【手続補正２５】
【補正対象書類名】明細書
【補正対象項目名】００５７
【補正方法】変更
【補正の内容】
【００５７】  スキャンした画像をクリックして選択し図形描画ツールバーの図形の調整ボタンをクリックしてテキストの折り返しを選択、前面をクッリクした後カーソルを該図形にポイントし、ドラッグして表札部分上段２ａの画像の左端に位置させ、上下の位置は該表札部分２ａの高さの中央、かつ、可視範囲５より内側に位置させ余白をクリックし確定して、表札部分上段２ａ用家紋像３ａを設定する。
【手続補正２６】
【補正対象書類名】明細書
【補正対象項目名】００５８
【補正方法】変更
【補正の内容】
【００５８】  同様の手法で、それぞれの所望の家紋像を挿入、配置・確定して、表札部分中段２ｂ用家紋像３ｂ及び表札部分下段２ｃ用家紋像３ｃを設定する。
【手続補正２７】
【補正対象書類名】明細書
【補正対象項目名】００５９
【補正方法】変更
【補正の内容】
【００５９】  氏名・苗字形象の挿入は、ワードアートのツールバーからワードアートの挿入をクリック、ワードアートギャラリーから文字の配列が水平になっているものの中から、２段目・左から２列目の影付きのパターンをクリックして選択し、ＯＫボタンをクリックする。ワードアートテキスト編集の画面に氏名・苗字形象とする任意の文字を入力しフォントは古印体、サイズは９６、太字ボタンをクッリクして画面に氏名・苗字形象の文字を出す、次に、ワードアートのツールバーからワードアートの書式設定ボタンをクッリク、該書式設定のダイアログボックスから、塗りつぶしの色は黒を選択・線は線なしを選択してＯＫボタンをクッリクする。
【手続補正２８】
【補正対象書類名】明細書
【補正対象項目名】００６０
【補正方法】変更
【補正の内容】
【００６０】  画面上のワードアートの文字をドラッグして表札部分上段２ａの画像のやや右よりの中央部に位置させ、全体及び家紋像３ａとのバランスを確認して位置を決定し、余白をクッリクして確定し、表札部分上段２ａ用氏名・苗字形象４ａとする。以上で表札部分上段２ａの全ての画像の挿入が終了する。
【手続補正２９】
【補正対象書類名】明細書
【補正対象項目名】００６１
【補正方法】変更
【補正の内容】
【００６１】  同様の手法で、それぞれに好みのフォントを選択し、任意の文字を入力して氏名・苗字形象４ｂ及び４ｃを挿入、配置・確定し、表札部分中段２ｂ用氏名・苗字形象４ｂ及び表札部分下段２ｃ用氏名・苗字形象４ｃを挿入・確定して、Ａ４版の表札台紙１に表札部分２の画像が全て挿入され操作が終了する。
【手続補正３０】
【補正対象書類名】明細書
【補正対象項目名】００６３
【補正方法】変更
【補正の内容】
【００６３】  次に、印刷のダイアログボックスで印刷部数が１枚になっていることを確認しＯＫボタンをクリックして印刷し、表札台紙１が完成する。
【手続補正３１】
【補正対象書類名】明細書
【補正対象項目名】００６４
【補正方法】変更
【補正の内容】
【００６４】  家紋像・氏名・苗字形象が各々印刷された、該表札台紙１の表札部分を表札地板で覆い、表札枠の可視範囲５に留意して表札部分のバランスを取りながら、表札台紙１の各段を表札地板と同寸法に切り離し、余白７を残してそれぞれの表札部分２ａ・２ｂ・２ｃを取り出して３枚の表札部分２が完成する。
【手続補正３２】
【補正対象書類名】明細書
【補正対象項目名】００６５
【補正方法】変更
【補正の内容】
【００６５】それぞれの表札部分は、同じくそれぞれ住居の表札枠の挿入部より、付属の乳白色樹脂板の表札地板と該地板を保護する為の透明樹脂カバーの間に装着して、それぞれの表札部分２の標示が終了する。
【手続補正３３】
【補正対象書類名】明細書
【補正対象項目名】００６９
【補正方法】変更
【補正の内容】
【００６９】  該オプションチップ台紙６のオプションチップ列を表札地板で覆い、表札部分の場合と同様に表札枠の可視範囲５に留意して切取り部分のバランスを取りながら、縦方向に該オプションチップ台紙６のオプションチップ列各段を該表札地板と同寸法に順次切り離し、余白７を残して各々のオプションチップ列８ａ・８ｂ・８ｃを取り出す。
【手続補正３４】
【補正対象書類名】明細書
【補正対象項目名】００７２
【補正方法】変更
【補正の内容】
【００７２】オプション表札１０は、慣例として１対にして標示する標示物の場合、表札部分２に２個のオプション画像を、祭礼時に標示する祭礼の提灯を例として両端に配置した実施例である。手法は表札部分２及びオプションチップ８の作成手順とほぼ同様で、氏名・苗字形象４ａを実施例１の表札部分２の場合よりやや中央に移動・配置し、両端に祭礼提灯の画像をオプションとして配置し、重ね印刷したものたものである。
【手続補正３５】
【補正対象書類名】明細書
【補正対象項目名】００７３
【補正方法】変更
【補正の内容】
【００７３】  以上の実施例で明らかなように、本考案は安価な印刷用光沢紙等を使用し、かつ、美麗な模様を下地模様とし所望の家紋像を配置し、更に、氏名・苗字形象も好みの字体で配置した結果、格式・風格有る集合住宅用表札を、汎用性を有するパソコン・スキャナー・デジタルカメラ・カラープリンターを用いてそれぞれ異なるデザインの単品でありながら、大量生産を可能にしたものであり経済的問題を解決すると同時に環境の美化にも貢献するものである
【手続補正３６】
【補正対象書類名】明細書
【補正対象項目名】００７４
【補正方法】変更
【補正の内容】
【００７４】
【図１】本考案の集合住宅用表札台紙の実施例１を示す平面図である。
【図２】本集合住宅用表札のオプションチップを複数印刷したオプションチップ台紙の平面図である。
【図３】本集合住宅用表札の家紋の位置に日章旗のオプションチップを覆装した状態の表札部分２単体と表札枠の可視範囲５を示した拡大平面図である。
【図４】本集合住宅用表札とオプションチップを２個配置したオプション表札実施例２の表札単体と表札枠の可視範囲５を示した拡大平面図である。
【手続補正３７】
【補正対象書類名】明細書
【補正対象項目名】００７５
【補正方法】変更
【補正の内容】
【００７５】  １  表札台紙
２  表札部分
３  家紋像
４  氏名・苗字形象
５  可視範囲
６  オプションチップ台紙
７  余白
８  オプションチップ
９  縦切取り線
１０オプション表札